(57)【特許請求の範囲】
【請求項１】
被検者の乳房に放射線を照射する放射線照射部と、
前記放射線の照射を受けて前記乳房を透過した線量に応じた画像情報を記録する画像記録媒体と前記放射線照射部が照射した放射線が前記乳房を透過した線量を検出する線量検出器とを有する撮影台と、
前記放射線照射部と前記撮影台とを対向するように連結するアームと、
前記放射線照射部と前記撮影台間に設けられた前記撮影台上で前記乳房を圧迫する圧迫板と、
前記乳房を撮影する方向に応じて前記アームを回転させるアーム回転手段とを備えた乳房画像撮影装置において、
前記被検者の乳房のサイズを検出する乳房サイズ検出手段と、
該検出した乳房のサイズと前記アーム回転手段がアームを回転させた回転方向とに応じて、前記放射線照射部と前記撮影台の相対位置を前記撮影台の辺のうち前記被検者の胸壁に対向する辺に沿って変更する相対位置変更手段を設けたことを特徴とする乳房画像撮影装置。
【請求項２】
前記圧迫板のサイズを検出する圧迫板サイズ検出手段を備え、
前記乳房サイズ検出手段が、前記検出された圧迫板のサイズに対応する乳房のサイズを前記被検者の乳房のサイズとして検出するものであることを特徴とする請求項１記載の乳房画像撮影装置。
【請求項３】
前記乳房サイズ検出手段が、前記画像記録媒体に記録された画像情報から前記被検者の乳房のサイズを検出するものであることを特徴とする請求項１記載の乳房画像撮影装置。
【請求項４】
前記相対位置変更手段が、前記線量検出器による線量検出位置を前記撮影台の辺のうち前記被検者の胸壁に対向する辺に沿って変更する線量検出位置変更手段を備えたことを特徴とする請求項１から３に記載の乳房画像撮影装置。
【請求項５】
被検者の乳房に放射線を照射する放射線照射部と、
前記乳房を載せる乳房載置面を有する撮影台と、
前記放射線照射部と前記撮影台とを対向するように連結するアームと、
前記乳房を撮影する方向に応じて前記アームを回転させるアーム回転手段と、
前記撮影台上の乳房の大きさを検出する乳房サイズ検出手段と、
前記撮影台上の乳房の位置を、前記撮影台の辺のうち前記被検者の胸壁に対向する辺に沿って検出する乳房位置検出手段と、
該乳房位置検出手段により検出された乳房の位置に基づいて、前記乳房の関心部位を通り、前記撮影台の前記乳房載置面に対する法線上に前記放射線照射部が位置するように、前記放射線照射部と前記撮影台の相対位置を前記撮影台の辺のうち前記被検者の胸壁に対向する辺に沿って変更する相対位置変更手段と備え、
前記乳房位置検出手段が、
前記アーム回転手段により前記アームを回転させた回転角と前記乳房の大きさとから前記撮影台上の乳房の位置を検出するものであることを特徴とする乳房画像撮影装置。
【請求項６】
被検者の乳房に放射線を照射する放射線照射部と、
前記乳房を載せる乳房載置面を有する撮影台と、
前記放射線照射部と前記撮影台とを対向するように連結するアームと、
前記乳房を撮影する方向に応じて前記アームを回転させるアーム回転手段と、
前記撮影台の高さを調整する撮影台高さ調整手段と、
前記撮影台上の乳房の位置を、前記撮影台の辺のうち前記被検者の胸壁に対向する辺に沿って検出する乳房位置検出手段と、
該乳房位置検出手段により検出された乳房の位置に基づいて、前記乳房の関心部位を通り、前記撮影台の前記乳房載置面に対する法線上に前記放射線照射部が位置するように、前記放射線照射部と前記撮影台の相対位置を前記撮影台の辺のうち前記被検者の胸壁に対向する辺に沿って変更する相対位置変更手段と備え、
前記乳房位置検出手段が、
前記アーム回転手段により前記アームを回転させた回転角と前記撮影台高さ調整手段により調整された高さに応じて、前記撮影台上の前記乳房の位置を推定するものであることを特徴とする乳房画像撮影装置。
【請求項７】
被検者の乳房に放射線を照射する放射線照射部と、
前記乳房を載せる乳房載置面を有する撮影台と、
前記放射線照射部と前記撮影台間に設けられた前記撮影台上に前記乳房を圧迫する圧迫板と、
該圧迫板と前記撮影台との間に前記乳房を挟んで圧迫する際に、該圧迫板が前記撮影台に対して傾いている角度を検出する圧迫板傾き検出手段と、
前記撮影台上の乳房の位置を、前記撮影台の辺のうち前記被検者の胸壁に対向する辺に沿って検出する乳房位置検出手段と、
該乳房位置検出手段により検出された乳房の位置に基づいて、前記乳房の関心部位を通り、前記撮影台の前記乳房載置面に対する法線上に前記放射線照射部が位置するように、前記放射線照射部と前記撮影台の相対位置を前記撮影台の辺のうち前記被検者の胸壁に対向する辺に沿って変更する相対位置変更手段と備え、
前記乳房位置検出手段が、
前記圧迫板の傾いている角度に応じて、前記撮影台上の前記乳房の位置を推定するものであることを特徴とする乳房画像撮影装置。
【発明の詳細な説明】
【技術分野】
【０００１】
本発明は、乳房画像を撮影する乳房画像撮影装置に関するものである。
【背景技術】
【０００２】
従来、乳がん検診は視触診のみによる検診より、乳房専用のＸ線撮影装置（以下、乳房画像撮影装置という）で撮影したマンモグラフィを組み合わせたほうが早期がんの発見率が上昇するため、乳房画像撮影装置を用いた検診が行われている。
【０００３】
一般の乳がん検診では、１方向撮影（２枚撮影）と２方向撮影（４枚撮影）があるが、１方向撮影では、MLO撮影（内外斜位方向撮影）のみを行う。MLO撮影は、図１２(a)に示すように斜め横から乳房を挟んで撮影をする。このような方向から撮影ができるように、乳房画像撮影装置は、アーム上に放射線照射部と撮影台とが対向するように設けられ、アームを回転することで撮影台を傾けることができるように構成されている。２方向撮影では、MLO撮影とCC撮影（頭尾方向撮影）を行う。CC撮影では、図１２(b)に示すように上から乳房を挟んで撮影する。MLO撮影方法が乳房の全体を一番広く画像にすることができる撮影方法であるが、CC撮影法はMLO撮影を補完するために行われ、MLO撮影では画像にしづらい乳房内側を画像にすることができる。通常は、左右の乳房についてそれぞれ１方向撮影と２方向撮影を行うため、１方向撮影では２回撮影が行われ、２方向撮影では４回撮影が行われる。
【０００４】
乳房は乳腺組織、脂肪組織、皮膚でできているが、正しい診断に必要な乳房写真を撮るためには乳房をなるべく均等の厚さに圧迫して、細かい乳腺や脂肪組織をフィルムに写す必要があるため、乳房画像撮影装置では乳房を撮影台と圧迫板とではさんで撮影が行われる。しかし、圧迫圧が少なすぎると、乳腺や脂肪、血管などの重なりで、腫瘍があっても写し出されないことがあるため、よい画像を得るためにはある程度乳房を圧迫して撮影する必要があり、各乳房に応じて撮影に適した厚さになるように圧迫圧に調整しなければならない。
【０００５】
さらに、乳房画像撮影装置で、安定して適正なフィルム濃度を得るために乳房を透過した放射線の線量を計測するAEC（Automatic Exposure Control）が必須である。AECはカセッテの下部に設置されたセンサーであり、一般的にはセンサーとして半導体検出器が配列され、撮影の際には乳房の中心に照射された放射線量を計測できるように、オペレータが被検者の乳房の位置などを調整して撮影している。
【０００６】
そのため、左右乳房について２方向撮影を行う場合には、これらの調整を４回行なう必要があり被検者は相当の負担を強いられることになる。
【０００７】
そこで、繰り返し撮影が行われるマンモグラフィ検査のために、被検者ごとに初回調整した圧迫圧などの値を記憶しておき、次回からは記憶されている値を用いて乳房の撮影を行うものが提案されている（特許文献１）。
【０００８】
また、最適な濃度の画像を得るためには撮影台の中心に乳房の中心部を乗せて撮影すること必要であるが、乳房の大きさには個人差が大きいため乳房を撮影台の中心に乗せて撮影することができように、大きい乳房を撮影する場合には大きいサイズの撮影台を用い、小さい乳房を撮影する場合には小さいサイズの撮影台が用いられる。
【特許文献１】特表２００３−５２０１１５号公報
【発明の開示】
【発明が解決しようとする課題】
【０００９】
しかしながら、特許文献１のように圧迫圧などを予め記憶しておくことにより被検者の負担は軽減できたとしても、常に乳房を撮影台の中心におくのは難しいため、撮影された画像がボケたり歪む場合がある。
【００１０】
また、乳房の大きさには個人差が大きく、小さい乳房を大きい撮影台で撮影を行うと乳房の位置が中心からずれるため、乳房の大きさに応じて異なるサイズの撮影台を用意することが望ましいが、撮影台は高価であるため、大きい撮影台と小さい撮影台の２つを常に用意するのは難しい。
【００１１】
そのため、鮮明な画像を取得するためには放射線を垂直に照射して撮影することが望まれるが、小さい乳房を大きい撮影台で撮影を行うと放射線を垂直に照射することができるとは限らない。そのため、散乱線グリッドを用いた場合でも、放射線が斜めに入射するため、グリッドの効果が低減されボケた画像になる。さらに、斜めから照射されると場所により拡大率が異なってくるため歪んだ画像となる。
【００１２】
そこで、本発明では、被検者の負担を少なくして明瞭な乳房画像を取得することが可能な乳房撮影装置を提供することを目的とするものである。
【課題を解決するための手段】
【００１３】
本発明の第１の乳房画像撮影装置は、被検者の乳房に放射線を照射する放射線照射部と、
前記放射線の照射を受けて前記乳房を透過した線量に応じた画像情報を記録する画像記録媒体と前記放射線照射部が照射した放射線が前記乳房を透過した線量を検出する線量検出器とを有する撮影台と、
前記放射線照射部と前記撮影台とを対向するように連結するアームと、
前記放射線照射部と前記撮影台間に設けられた前記撮影台上で前記乳房を圧迫する圧迫板と、
前記乳房を撮影する方向に応じて前記アームを回転させるアーム回転手段とを備えた乳房画像撮影装置において、
前記被検者の乳房のサイズを検出する乳房サイズ検出手段と、
該検出した乳房のサイズと前記アーム回転手段がアームを回転させた回転方向とに応じて、前記放射線照射部と前記撮影台の相対位置を前記撮影台の辺のうち前記被検者の胸壁に対向する辺に沿って変更する相対位置変更手段を設けたことを特徴とするものである。
【００１４】
「画像記録媒体」とは、放射線が透過した被検者の画像を記録する媒体をいい、具体的には、フラットパネルディテクターやイメージングプレート、Ｘ線撮影用フィルムなどがある。また、フラットパネルディテクターには、固体検出器やＴＦＴ（薄膜トランジスタ）などがある。
【００１５】
「胸壁に対向する辺」とは、乳房画像を撮影する際に胸壁に向かう撮影台の辺をいい、「位置を胸壁に対向する辺に沿って変更」とは、その辺に対して平行に位置を変える場合のみならず、辺に平行な成分を含むように位置を変えるものも含む。
【００１６】
「相対位置を変更」とは、放射線照射部または撮影台のいずれかの一方の位置、あるいは、放射線照射部または撮影台の両方の位置を変更することにより、お互いの対応する位置を変えることをいう。
【００１７】
また、第１の乳房画像撮影装置が、前記圧迫板のサイズを検出する圧迫板サイズ検出手段を備えるようにした場合は、
前記乳房サイズ検出手段が、前記検出された圧迫板のサイズに対応する乳房のサイズを前記被検者の乳房のサイズとして検出するものであってもよい。
【００１８】
さらに、乳房サイズ検出手段が、前記画像記録媒体に記録された画像情報から前記被検者の乳房のサイズを検出するものであるであってもよい。
【００１９】
さらにまた、前記相対位置変更手段が、前記線量検出器による線量検出位置を前記撮影台の辺のうち前記被検者の胸壁に対向する辺に沿って変更する線量検出位置変更手段を備えるようにしてもよい。
【００２０】
本願発明の第２の乳房画像撮影装置は、
被検者の乳房に放射線を照射する放射線照射部と、
前記乳房を載せる乳房載置面を有する撮影台と、
前記撮影台上の乳房の位置を、前記撮影台の辺のうち前記被検者の胸壁に対向する辺に沿って検出する乳房位置検出手段段と、
該乳房位置検出手段により検出された乳房の位置に基づいて、前記乳房の関心部位を通り、前記撮影台の前記乳房載置面に対する法線上に前記放射線照射部が位置するように、前記放射線照射部と前記撮影台の相対位置を前記撮影台の辺のうち前記被検者の胸壁に対向する辺に沿って変更する相対位置変更手段と備えたことを特徴とするものである。
【００２１】
「関心部位」とは、乳房画像を撮影する際に放射線を照射する中心となる部位をいう。乳房を撮影する場合、乳房の厚みのある部分を中心に放射線を照射することが望ましく、例えば、乳房の中心部が関心部位となる。
【００２２】
また、第２の乳房画像撮影装置が、前記放射線照射部と前記撮影台とを対向するように連結するアームと、
前記乳房を撮影する方向に応じて前記アームを回転させるアーム回転手段と、
前記撮影台上の乳房の大きさを検出する乳房サイズ検出手段とをさらに備えるものであり、
前記乳房位置検出手段が、
前記アーム回転手段により前記アームを回転させた回転角と前記乳房の大きさとから前記撮影台上の乳房の位置を検出するものであってもよい。
【００２３】
また、第２の乳房画像撮影装置が、
前記撮影台の高さを調整する撮影台高さ調整手段をさらに備えるものであって、
前記乳房位置検出手段が、
前記撮影台高さ調整手段により調整された高さに応じて、前記撮影台上の前記乳房の位置を推定するものであってもよい。
【００２４】
また、第２の乳房画像撮影装置が、前記放射線照射部と前記撮影台間に設けられた前記撮影台上に前記乳房を圧迫する圧迫板と、
該圧迫板と前記撮影台との間に前記乳房を挟んで圧迫する際に、該圧迫板が前記撮影台に対して傾いている角度を検出する圧迫板傾き検出手段とをさらに備えるものであって、
前記乳房位置検出手段が、
前記圧迫板の傾いている角度に応じて、前記撮影台上の前記乳房の位置を推定するものであってもよい。
【００２５】
さらに、第２の乳房画像撮影装置が、
前記放射線照射部に照射野絞りが取り付けられた位置を検出する照射野絞り検出手段を備え、
前記乳房位置検出手段が、
前記照射野絞りの位置に応じて前記撮影台上の前記乳房の位置を推定するものであってもよい。
【発明の効果】
【００２６】
本発明によれば、乳房のサイズに応じて放射線が乳房の中心部を通るように放射線照射部と前記撮影台の相対位置を移動させることによりボケや歪みの少ない画像を撮影することが可能になる。
【００２７】
また、圧迫板のサイズを検出することで、簡便に乳房のサイズを検出することが可能になる。
【００２８】
また、画像情報から乳房のサイズを検出するようにすることで、正確に乳房の中心を検出することができるようになり、より適切な位置に放射線の照射を行うことが可能になる。
【００２９】
さらに、線量検出器による線量検出位置を乳房の位置に応じて変えることにより、正確に線量を検出することが可能になる。
【００３０】
また、撮影台の高さから撮影台上の乳房の位置を推定することにより、乳房撮影装置の構成を変えることなく、乳房の位置を推定することができる。
【００３１】
また、圧迫板の傾いている角度から撮影台上の乳房の位置を推定することにより、圧迫した状態の乳房の位置を推定することができる。
【００３２】
さらに、照射野絞り取り付け位置に応じて撮影台上の前記乳房の位置を推定することにより、撮影の中心を乳房の中心として簡便に乳房の位置を推定することができる。
【発明を実施するための最良の形態】
【００３３】
以下、図面を参照して本発明の実施の形態について詳細に説明する。図１は本発明による乳房用画像撮像装置の第１の実施の形態を示す概略図、図２、図３は本発明による乳房用画像撮像装置のアーム部分の正面図である。
【００３４】
この乳房用画像撮像装置１は、内部に放射線照射部２を収納する放射線収納部３と、内部にフラットパネルディテクター１０等の画像記録媒体をカセッテなど記録媒体保持部に収容した撮影台４とが対向するようにアーム５に連結され、アーム５は軸Ｃで基台６に取り付けられて構成されている。
【００３５】
基台６には、さらに、オペレータが撮影台４の高さ（つまり、アーム５の高さ）や撮影台４の傾き（つまり、アーム５の傾き）を調整するための操作部８と、操作部８からの入力に従ってアーム５を上下移動および回転移動させるアーム移動手段９が設けられる。
【００３６】
放射線収納部３は、図２に示すように、放射線照射部２を移動させる放射線照射部移動手段８６が設けられ、パルスモータなどを用いて放射線照射部２を撮影台４と平行に撮影台４の胸壁Ｈに対向する辺に沿った方向に左右に移動させる。
【００３７】
また、アーム５には、撮影台４を移動させる撮影台移動手段８８が設けられ、パルスモータなどを用いて撮影台４の胸壁Ｈ側の辺に沿ってアーム５を横切るように左右に移動させる。
【００３８】
操作部８は、図１に示すように、基台６に取り付けられた操作パネルやフットペダルなどであり、被検者の体格や乳房の大きさ・位置に応じて、オペレータが撮影に適した位置にアーム５の高さや向きを変えるための指示や乳房の圧迫の指示を入力するためのものである。例えば、オペレータが１回操作パネル上のボタンを押すと、１回の操作による上下移動量や回転量がアーム移動手段９に送出される。
【００３９】
アーム制御手段９は、アーム５を回転させるアーム回転手段９１と、アームを上下方向に移動させて撮影台４の高さを調整するアーム高さ調整手段（撮影台高さ調整手段）９２と、を備える。
【００４０】
アーム回転手段９１は、操作部８から入力されたアームの傾きに応じて、基台６に取り付けられた軸Ｃを回転させる。
【００４１】
撮影台高さ調整手段９２は、操作部８から入力された撮影台４の高さに従ってアームを上下移動させる。
【００４２】
アーム５には、放射線収納部３と撮影台４の間に、撮影台４上に上から乳房Ｍを押さえつけて圧迫する圧迫板７を取り付けるための取付部５１と、取付部５１をアーム５の縦方向に上下動する圧迫板移動手段５２と、取り付けられた圧迫板７のサイズを検出する圧迫板サイズ検出手段５３が設けられる。一方、圧迫板７にはアーム５の取付部５１に差し込むための差込部５４が設けられる。
【００４３】
圧迫板７は、乳房の大きさに応じて異なるサイズのものが用意され、大きい乳房用のものは約３０ｃｍ×２４ｃｍであり、小さいサイズのものは約２４ｃｍ×１８ｃｍである。また、圧迫板７の大きさに応じて圧迫板７の差込部５４の長さは異なる。
【００４４】
圧迫板サイズ検出手段５３は、アーム５の取付部５１に設けられ、ディップスイッチやフォトセンサーなどを用いて挿入された差込部５４の長さを検出して圧迫板７のサイズを検出する。あるいは、圧迫板７の側面にサイズや型番情報を含んだバーコードを付して、圧迫板７を取付部５１に差込と同時にバーコードが読み取れるように設置したバーコード読取装置であってもよい。
【００４５】
撮影台４は、乳房載置面上に乳房Ｍを載せて撮影を行ない、撮影台４の内部には、図４に示すように、放射線の照射を受けて乳房を透過した線量に応じた画像情報を記録し、記録した画像情報を表す画像データを出力するフラットパネルディテクター１０と、フラットパネルディテクター１０の下に放射線照射部が照射した放射線が乳房を透過した線量を検出する線量量検出器２０と、線量量検出器２０を乳房の中心に位置を変更する線量検出位置変更手段２１が配置されている。
【００４６】
また、通常、アーム５の回転中心がフラットパネルディテクター１０の中心となるようにフラットパネルディテクター１０の中心位置に回転の中心となる軸Ｃを取り付けて、アーム５を基台６に取り付ける（図３参照）。
【００４７】
以下、フラットパネルディテクター１０が固体検出器である場合の撮影台の構成について、図５から図８を用いて説明する。
【００４８】
撮影台４の内部には、図５に示すように、固体検出器１０に記録された画像情報の読取時に使用される読取用露光光源部７３と、読取用露光光源部７３を副走査方向に移動させる読取用露光光源部移動手段７５と、読取用露光光源部７３による固体検出器１０への走査露光時に固体検出器１０から流れ出す電流を検出して画像信号を得る電流検出手段７２と、固体検出器１０に所定の電圧を印加する高電圧電源部７１と、撮影開始前に固体検出器１０に前露光光を照射する前露光光源部６０と、固体検出器１０を撮影台４内部において被検者の胸壁Ｈに近接させる方向および胸壁Ｈから離間させる方向（上述の副走査方向）に移動させる固体検出器移動手段７０と、読取用露光光源部７３、電流検出手段７２、高電圧電源部７１、前露光光源部６０、移動手段７０および７５を制御する制御手段８０とが配置される。
【００４９】
固体検出器１０は、直接変換方式かつ光読出方式の放射線固体検出器であって、画像情報を担持する記録光が照射されることによりこの画像情報を静電潜像として記録し、読取光で走査されることにより静電潜像に応じた電流を発生するものであり、具体的には図６に示すように、ガラス基板１６上に形成されており、乳房Ｍを透過した放射線（以下記録光という）に対して透過性を有する第一導電層１１、記録光の照射を受けることにより電荷を発生して導電性を呈する記録用光導電層１２、第一導電層１１に帯電される潜像極性電荷に対しては略絶縁体として作用し、かつ、該潜像極性電荷と逆極性の輸送極性電荷に対しては略導電体として作用する電荷輸送層１３、読取光の照射を受けることにより電荷を発生して導電性を呈する読取用光導電層１４、読取光に対して透過性を有する第二導電層１５をこの順に積層してなるものである。記録用光導電層１２と電荷輸送層１３との界面に蓄電部１７が形成される。
【００５０】
第一導電層１１および第二導電層１５はそれぞれ電極をなすものであり、第一導電層１１の電極は２次元状に平坦な平板電極とされ、第二導電層１５の電極は図中斜線で示すように、記録されている画像情報を画像信号として検出するための多数のエレメント（線状電極）１５ａが画素ピッチでストライプ状に配されたストライプ電極とされている（例えば特開２０００−１０５２９７記載の静電記録体を参照）。エレメント１５ａの配列方向が主走査方向、エレメント１５ａの長手方向が副走査方向に対応する。
【００５１】
この固体検出器１０のサイズは大きいサイズの乳房に対応できるように長辺３０ｃｍ×短辺２４ｃｍのものを用い、長辺方向が主走査方向、短辺方向が副走査方向となるように撮影台４内に収容されている。
【００５２】
読取用露光光源部７３としては、ＬＥＤチップが一列に複数並べられて構成されたライン光源と、該光源から出力された光を固体検出器１０上で線状に照射させる光学系とからなるものを用いる。なお、光源部７３を固体検出器１０と必要な距離を保ったままリニアモータからなる移動手段７５により、固体検出器１０のストライプ電極１５ａ長手方向、即ち副走査方向に走査することにより固体検出器１０の全面の露光を行う。なお、読取用露光光源部７３および移動手段７５により読取光走査手段が構成される。
【００５３】
図７は固体検出器１０および電流検出手段７２の接続態様の詳細を示した図である。図示するように、被検者の胸壁Ｈに接する辺において、固体検出器１０の各エレメント１５ａがＴＡＢ（ Ｔａｐｅ Ａｕｔｏｍａｔｅｄ Ｂｏｎｄｉｎｇ ）フィルム３２上に形成されたプリントパターン（不図示）を介してチャージアンプＩＣ３３と接続され、さらにチャージアンプＩＣ３３がＴＡＢフィルム３２上に形成されたプリントパターン（不図示）を介してプリント基板３１と接続されている。なお、本実施の形態では全てのエレメント１５ａを１つのチャージアンプＩＣ３３に接続するのではなく、全体として数個〜数１０個のチャージアンプＩＣ３３を設け、順次隣接する数本〜百本程度のエレメント１５ａ毎に各チャージアンプＩＣ３３に接続するようにしている。
【００５４】
なお、電流検出手段７２は、上述の態様に限定されるものではなく、チャージアンプＩＣ３３をＴＡＢフィルム３２上に形成せずに、ガラス基板１６上に形成する、いわゆるＣＯＧ（ Ｃｈｉｐ Ｏｎ Ｇｌａｓｓ ）と呼ばれる態様としてもよい。
【００５５】
図８は撮影台４内に設けられた電流検出手段７２および高電圧電源部７１の詳細、並びにこれらと固体検出器１０との接続態様を示したブロック図である。
【００５６】
高電圧電源部７１は、高電圧電源７１１とバイアス切換手段７１２とが一体化された回路であり、高電圧電源７１１は、一旦、静電記録部１０へのバイアス印加／短絡など切換えのためバイアス切換手段７１２を介して静電記録部１０に接続されている。なお、この回路は、切換え時に流れる電流の尖頭値を制限して装置の電流が集中する箇所の破壊を防ぐために、充放電過大電流を防止するように設計されている。
【００５７】
ＴＡＢフィルム３２上に設けられたチャージアンプＩＣ３３は、固体検出器１０の各エレメント１５ａ毎に接続された多数のチャージアンプ３３ａおよびサンプルホールド（Ｓ／Ｈ）３３ｂ、各サンプルホールド３３ｂからの信号をマルチプレクスするマルチプレクサ３３ｃを備えている。固体検出器１０から流れ出す電流は各チャージアンプ３３ａにより電圧に変換され、該電圧がサンプルホールド３３ｂにより所定のタイミングでサンプルホールドされ、サンプルホールドされた各エレメント１５ａに対応する電圧がエレメント１５ａの配列順に切り替わるようにマルチプレクサ３３ｃから順次出力される（主走査の一部に相当する）。マルチプレクサ３３ｃから順次出力された信号はプリント基板３１上に設けられたマルチプレクサ３１ｃに入力され、さらに各エレメント１５ａに対応する電圧がエレメント１５ａの配列順に切り替わるようにマルチプレクサ３１ｃから順次出力され主走査が完了する。マルチプレクサ３１ｃから順次出力された信号はＡ／Ｄ変換部３１ａによりデジタル信号に変換され、デジタル信号がメモリ３１ｂに格納される。
【００５８】
前露光光源部６０としては、短時間で発光／消光し、残光の非常に小さい光源が必要となるため、本実施の形態においては外部電極型希ガス蛍光ランプを利用する。詳細には前露光光源部６０は、図５に示すように、図中紙面奥方向に延びる複数の外部電極型希ガス蛍光ランプ６１と、該蛍光ランプ６１と固体検出器１０との間に挿入された波長選択フィルタ６２と、蛍光ランプ６１の後方に配され、蛍光ランプ６１から出力された光を効率よく固体検出器１０側へ反射するための反射板６３とを備える。なお、前露光光は固体検出器１０の第二電極層１５全体に照射すればよく特に集光手段は必要ないが、照度分布は小さい方がよい。なお、光源としては蛍光ランプの代わりに、例えばＬＥＤチップを面的に並べたものを利用するもことできる。
【００５９】
移動手段７０は、図示しないリニアモータなどにより構成され、固体検出器１０を撮影位置と読取位置との間で平行往復移動させる。
【００６０】
フラットパネルディテクターは、上述で説明したような固体検出器以外にも、固体検出素子の蓄電部に蓄積された信号電荷を、該蓄電部と接続されたＴＦＴを走査駆動して読み出すＴＦＴ読出方式を用いることができる（例えば、特開2004-80749公報、特開2004-73256公報などを参照）。
【００６１】
線量検出器２０は、固体検出器１０の下部に設置され、線量検出器２０として、例えば放射線の線量を計測するセンサーとして半導体検出器が配列されたAECセンサーが用いられる。あるいは、固体検出器１０（あるいは、ＴＦＴ方式のフラットパネルディテクターでもよい）に照射された放射線の線量から検出するようにしてもよい。以下、本実施の形態では、線量検出器２０をAECセンサーとして説明する。
【００６２】
線量検出位器変更手段２１は、パルスモータなどを用いて線量検出器２０を固体検出器１０と平行に撮影台４の胸壁Ｈに対向する辺に沿う方向に移動させて放射線の線量の検出位置を変更する。
【００６３】
次に、このように構成される乳房用画像撮像装置１の動作について、被検者の乳房をMLO撮影する場合について説明する。
【００６４】
乳房は立体的で厚みがあるため、そのまま撮影をすると乳腺や脂肪、血管などが障害になり腫瘍が写しだされないことがある。そこで、マンモグラフィの検査をする際には、圧迫板７で乳房をはさんで薄く均等に引き伸ばして、少ない放射線で小さなしこりの影まではっきり写しだすようにする。また、均等になるように圧力を加えるためには均一に圧力をかける必要があるが、被検者の乳房が小さいときに大きいサイズの圧迫板７を使うと、乳房の周囲に隙間ができるため圧迫板７が傾いて乳房を均一に押さえることができないため、乳房の大きさにあったサイズの圧迫板７を乳房用画像撮像装置１に取り付けなければならない。
【００６５】
そこで、オペレータは、被検者の乳房の大きさに対応した圧迫板７をアーム５の取付部５１に取り付けて撮影を行う。乳房用画像撮像装置１の取付部５１に取り付けられると、圧迫板サイズ検出手段５３により取り付けられた圧迫板７のサイズが検出される。
【００６６】
次に、MLO撮影を行うために、被検者が乳房用画像撮像装置１の横に立つと、オペレータは、操作パネルなどの操作部８から被検者の身長に応じて撮影台４の高さ入力し、アーム移動手段９の撮影台高さ調整手段９２で、撮影台４が入力された高さになるまでアームを調整する。さらに、操作部８から被検者の乳房の大きさや形状に応じてアームの回転角を入力し、アーム回転手段９１で、入力された回転角になるようにアーム５を回転する。このとき、撮影台４が被検者の胸筋に平行になるように、撮影台４を水平方向から45°〜80°の範囲内で傾ける。通常は、撮影台４を60°程度傾けて撮影する。また、左右いずれの乳房を撮影するかによって図９の(a)(b) （図９(a)が右乳房、図９(b)が左乳房の図である）に示すように傾ける方向が反対になる。
【００６７】
また、傾けた撮影台４の上部を胸筋に当てて撮影を行うため、小さい乳房を大きい乳房用の撮影台４の乳房載置面上に乳房Ｍを載せて撮影すると、図９に示すように、乳房の中心位置が撮影台４の中心にならず、どちらかに片寄った状態で撮影される。そのため、放射線も乳房の中心に垂直に照射されず斜め方向から照射されることになるため乳房画像の端部の拡大率が異なってくるため画像に歪みが生じる。また、図１０に示すように、散乱除去グリッド２４を用いて撮影する場合には、散乱除去グリッド２４の隙間と放射線の進む方向が一致しないため十分な効果が得られない。鮮明で歪みのない画像を撮影するためには、乳房の中心に垂直に放射線が照射される必要がある。さらに、乳房の画像を適正な濃度で撮影を行いつつ、被曝量を少なくするためにはAECセンサー２０で乳房の中心部を透過した線量を検出する必要がある。
【００６８】
そこで、相対位置変更手段は、放射線照射部移動手段８６や撮影台移動手段８８を用いて、放射線照射部２や撮影台４を移動させて、放射線照射部２から照射された放射線が乳房Ｍの中心に垂直に入射するように（つまり、前記乳房の中心を通り、撮影台４の乳房載置面に対する法線上に放射線照射部２が位置するように）、放射線照射部２と撮影台４の相対位置を変更する。
【００６９】
まず、乳房サイズ検出手段で、圧迫板サイズ検出手段５３より検出した圧迫板７の大きさから乳房サイズを推定し、圧迫板７が小さいサイズの場合には被検者の乳房Ｍのサイズが小さいものとして検出し、圧迫板７が大きいサイズの場合には被検者の乳房Ｍのサイズが大きいものとして検出する。
【００７０】
また、小さい乳房を撮影するとどちらかに片寄った状態で撮影されるが（図９参照）、左右どちらの乳房Ｍを撮影するかによってアームの回転方向が異なるので、その回転方向に応じて乳房Ｍが撮影台４の中心からずれた方向がわかる。そこで、乳房位置検出手段では、乳房サイズ検出手段で検出した乳房のサイズとアーム回転手段９１で回転させたアームの回転方向から撮影台４上に置かれている被検者の乳房Ｍの位置を検出する。乳房Ｍのサイズが大きい場合には撮影台４の中心付近に存在するものとし、乳房Ｍのサイズが小さい場合には乳房は中心から一律に距離ｄずれているものとする。
【００７１】
そこで、乳房位置検出手段が検出した乳房Ｍの位置に応じて、図９に示すように、放射線照射部移動手段８６で放射線照射部２を撮影台４に平行かつ撮影台４の胸壁Ｈに対向する辺に沿う方向に所定の距離ｄほど移動させる。さらに、AECセンサー２０が乳房の中心部に来るように、線量検出位置変更手段２１でAECセンサー２０の位置を撮影台４の胸壁Ｈに対向する辺（長辺方向）に沿って所定の距離ｄほど移動させる。ｄは、例えば、大きいサイズの圧迫板と小さいサイズの圧迫板の長辺方向の長さ違いの半分の３ｃｍ程度にする。また、左右どちらの乳房を撮影するかによって、アームの回転角度θの向きが異なるので、回転方向（あるいは回転角度θ）に応じて動かす方向を逆にする。
【００７２】
なお、上述の態様では、乳房が上方に寄ってしまうため、撮影位置がｈ分高くなる。そこで、被検者の負担を少なくするために撮影台４の傾きに応じてアーム移動手段９でアーム５を下げることにより、術者の手間や被検者の負担を軽減することができる。
【００７３】
アーム５を下げる量ｈは、撮影台４の移動量をｄとし、アーム５の傾きをθとしたときに下式により求められる。
【００７４】
ｈ＝ｄ×ｃｏｓθ
上述では、フラットパネルディテクター１０の中心位置に回転の中心となる軸Ｃを取り付ける形態について説明したが、両中心位置がずれている場合には、このズレ量も加えてアームの上下移動量を調整すれようにしてもよい。
【００７５】
あるいは、図１１に示すように放射線照射部２を移動させずに撮影台移動手段８８で撮影台４を胸壁Ｈに対向する辺に沿ってアーム５を横切るように左右に移動させるようにしてもよい。このとき線量検出位置変更手段２１でAECセンサー２０の位置が乳房の中心位置にくるように撮影台８を移動させる方向と反対に動かして、AECセンサー２０と放射線照射部２の相対位置が変わらないようにする方が好ましい。なお、AECセンサー２０の位置を変更することに限定されず、複数並べたAECセンサー２０のうち、放射線照射部２との相対位置の変更量が極力少なくなる位置のAECセンサー２０の線量検出に用いるように選択自在に切替えるように構成してもよい。
【００７６】
撮影台４が撮影に最適な傾きになると、乳房を圧迫板７で圧迫する。
【００７７】
オペレータは乳房の圧迫状態を確認しながら、操作パネルやフットスイッチなどの操作部８を用いて徐々に乳房を加圧するような指示を入力すると、入力に従って圧迫板移動手段５２でアーム５の縦方向に徐々に圧迫板７を押し下げて行く。例えば、圧迫力はフットスイッチを１回押すごとに１ｋｇ単位で加圧されるようにして、乳房が撮影に適した厚さになるようにフットスイッチを押していく。あるいは、圧迫板が下がって乳房に触れると徐々に加圧されるようにしてもよい。
【００７８】
圧迫が完了すると、放射線収納部３の放射線照射部２から放射線を照射して乳房の撮影を行う。
【００７９】
上述では、放射線照射部か撮影台のいずれかを移動させる場合について説明したが、両方を移動して相対位置がかわるようにしたものであってもよい。
【００８０】
上述では、乳房のサイズを圧迫板の大きさから判定する場合について説明したが、乳房サイズ検出手段で、本撮影を行う前に微量の線量でプレ曝射を行うようにして、乳房のサイズを検出するようにしてもよい。具体的には、例えば、プレ曝射によって固体検出器１０で得られた画像は乳房領域と放射線が直接照射された領域とで現れる画素値が異なるため、所定の閾値で２値化処理を行って乳房領域を抽出し、抽出した乳房領域の画素数や画像端の胸壁Ｈ側の長さから乳房サイズを判定する。
【００８１】
また、放射線照射部２や撮影台４の移動量は、プレ曝射によって得られた画像などから乳房のサイズを検出する場合には検出された乳房の大きさに応じて乳房サイズをいくつかの段階に分けて、その段階に応じた移動量を複数用意するようにしてもよい。
【００８２】
また、図１３に示すように、乳房サイズ検出手段としてCCDカメラ２５を放射線照射部２の近くに設置して、圧迫した乳房を撮影して、CCDカメラ２５で得られた画像より乳房領域の大きさを検出するようにしてもよい。
【００８３】
あるいは、撮影台４に歪みゲージを設け、歪みゲージの値から乳房の重さを算出して、乳房の大きさを検出してもよい。あるいは、超音波を用いてマンモグラフィ撮影の直前に検査した画像から乳房の大きさを検出することもできる。
【００８４】
上述では、乳房位置検出手段は、乳房サイズ検出手段で検出した乳房のサイズと前記アーム移動手段がアームを回転移動させた回転方向とに応じて乳房Ｍの位置を検出する場合について説明したが、図１４に示すように、撮影台４の両端に歪みゲージ４１を設けて、両方の出力のバランスを見ることで位置を推定してもよい。撮影台４に圧力が加わると歪みが発生し、その歪みに応じて歪みゲージ４１の抵抗値が変わるので、この抵抗値を検出して、撮影台４に置かれた乳房の位置を、両端の歪みゲージ４１から出力された出力の差から乳房の位置を推定することができる。例えば、乳房の位置は、２つの歪みケージ４１の出力の差と、圧迫板に加えた圧迫圧とを用いて下式で表される。
【００８５】
乳房の位置＝ｆｘ（圧迫圧、2つの歪みケージの出力の差）
また、撮影台４の胸壁Ｈに向かう辺に温度センサーを設け、被検者が撮影台４に接している位置から乳房の位置を検出するようにしてもよい。
【００８６】
また、MLO撮影を行う場合、撮影台高さ調整手段９２により調整された高さに応じて、乳房Ｍが撮影台４上に置かれている位置を推定するようにしてもよい。MLO撮影を行う場合、アーム回転手段９１によりアームを回転させて撮影台を斜めに傾けて撮影を行う。また、被検者の身長にあわせて身長が高い場合には乳房Ｍが高い位置にあるため撮影台４を上げて撮影を行うことになるが、身長が高ければ脇の下から乳房中心までの距離も大きいので、乳房Ｍは斜めに傾けた撮影台４の中心付近に置かれることになる。しかし、身長が低いと、乳房Ｍが撮影台４の中心付近ではなく少し上にずれたところに置かれることになる。そこで、MLO撮影の場合の撮影台４の高さと被検者の乳房Ｍの位置との対応を予め測定した結果に基づいて図１５に示すようなテーブルを用意し、テーブルに基づいて撮影台４の高さと乳房Ｍが撮影台４の中心からずれたおおよその位置を推定することができる。放射線照射部２あるいは撮影台４を、このテーブルの値に基づいて移動させる。
【００８７】
また、乳房Ｍが大きい場合は撮影台４は大きく傾けないで撮影するが、乳房Ｍが小さい場合には撮影台４を傾けて鉛直方向に近づけて撮影が行なわれる。この撮影台４の傾きに応じて乳房の位置を推定してもよい。
【００８８】
また、撮影台４上に置かれた乳房Ｍを圧迫板７で加圧した場合、小さい乳房は撮影台４のどうちらかに片寄るため、加圧した圧迫板７と撮影台４とは平行にならず、図１６に示すように、圧迫板７が撮影台４に対してやや傾いた状態になる。この傾きを検出することにより、撮影台４上の乳房Ｍのおおよその位置を推定することができる。そこで、該圧迫板７が撮影台４に対して傾いている角度δを検出する圧迫板傾き検出手段５５を圧迫板７の差込部５４などに設け、乳房位置検出手段は、圧迫板７の傾いている角度に応じて、撮影台４上の乳房Ｍの位置を推定するようにしてもよい。具体的には、圧迫板７を支える２つの差込部５４の応力から偏りを検出することができる。
【００８９】
また、圧迫板７が撮影台４に対して傾かないように設けられている場合には、圧迫板７若しくは撮影台４に加わる応力分布のみから乳房Ｍの位置を推定するようにしてもよい。
【００９０】
あるいは、図１７に示すように、放射線照射部２を収納する放射線収納部３に照射野絞り１８を取り付けて撮影を行なう場合、乳房Ｍが画像の中心になるように取り付けられる。そこで、放射線収納部３の照射野絞りの取付部に、胸壁Ｈに対向する辺やそれに直交する辺の照射野サイズを調整するダイヤルなどを用いて照射野絞り１８が取り付けられた位置を検出できるような照射野絞り検出手段２６を設け、放射線収納部３に取り付けられた照射野絞り１８の位置に応じて、撮影台４上の乳房Ｍの位置を推定するようにしてもよい。
【００９１】
上述では、放射線照射部から照射される放射線が乳房の中心を垂直に通過するように撮影台と放射線照射部とを相対移動させる場合について説明したが、撮影された画像が最適となるように放射線を照射する部位（関心部位）に垂直に入射するように撮影台と放射線照射部とを相対移動させればよい。
【００９２】
以上、詳細に説明したように、放射線照射部と撮影台を相対的に移動させて乳房の中心位置に放射線が照射量されるようにすることで、ボケや歪みのない画像を撮影することができる。
【図面の簡単な説明】
【００９３】
【図１】乳房用画像撮像装置の第１の実施の形態の概略図
【図２】乳房画像撮影装置のアームの部分の正面図
【図３】乳房画像撮影装置のアームの部分の回転の様子を表わした正面図
【図４】圧迫板と撮影台内の固体検出器と線量検出器の関係を表わす図
【図５】乳房用画像撮像装置の撮影台内部の概略図
【図６】固体検出器の概略図
【図７】固体検出器および電流検出手段の接続態様を示した図
【図８】電流検出手段および高電圧電源部の詳細およびこれらと固体検出器の接続態様を示したブロック図
【図９】放射線照射部の位置を乳房の中心に移動させたアームの部分の図
【図１０】放射線照射部と散乱線グリッドの関係を表したアームの部分の図
【図１１】乳房の中心と放射線照射部が一致するように撮影台の位置移動させたアームの部分の図
【図１２】MLO撮影とCC撮影を説明するための図
【図１３】CCDカメラを放射線照射部の近くに設置した図
【図１４】撮影台に歪みゲージを設けた図
【図１５】撮影台の高さと乳房の位置の関係を表す図
【図１６】圧迫板の傾きと乳房の位置の関係を表す図
【図１７】照射野絞りと乳房の位置の関係を表す図
【符号の説明】
【００９４】
１，１ａ    乳房用画像撮像装置
２    放射線照射部
３    放射線収納部
４    撮影台
５    アーム
６    基台
７    圧迫板
８    操作部
９    アーム移動手段
１０  フラットパネルディテクター
１８  照射野絞り
２０  線量検出器
２１  線量検出位置変更手段
２４  散乱除去グリッド
２５  CCDカメラ
２６  照射野絞り検出手段
４１  歪みゲージ
５１  取付部
５２  圧迫板移動手段
５３  圧迫板サイズ検出手段
５４  差込部
５５  圧迫板傾き検出手段
８６  放射線照射部移動手段  
８８  撮影台移動手段
９１  アーム回転手段
９２  アーム高さ調整手段
Ｃ    軸
【図１】
0004837507.tif 000002
【図２】
0004837507.tif 000003
【図３】
0004837507.tif 000004
【図４】
0004837507.tif 000005
【図５】
0004837507.tif 000006
【図６】
0004837507.tif 000007
【図７】
0004837507.tif 000008
【図８】
0004837507.tif 000009
【図９】
0004837507.tif 000010
【図１０】
0004837507.tif 000011
【図１１】
0004837507.tif 000012
【図１２】
0004837507.tif 000013
【図１３】
0004837507.tif 000014
【図１４】
0004837507.tif 000015
【図１５】
0004837507.tif 000016
【図１６】
0004837507.tif 000017
【図１７】
0004837507.tif 000018